(57)【要約】【課題】ベルヌーイ効果を作用させる主安定化部材と補助安定化部材との構成において、補助安定化部材による空気力学的な作用力を適正化して、良好なディスク面ぶれの低減を実現する。【解決手段】光ディスク１の面内を、光ピックアップ４が走査する動線Ｒに近接し、かつ光ディスク１の中心付近を通る直線Ａによって２つの領域Ｓ１，Ｓ２に分け、この領域Ｓ１，Ｓ２の少なくとも一方に、空気力学的な作用力を発生させて、主安定化部材５が位置する光ディスク面において当該主安定化部材５に対向する作用力を発生させるように補助安定化部材６を配設し、かつ前記補助安定化部材６における前記主安定化部材５に対向する前記作用力の適正化のため、補助安定化部材６における空気力学的な力の作用面をディスク半径方向あるいはディスク円周方向の少なくとも一方に傾斜させる。【選択図】    図１
2005032344.tif 000002
【特許請求の範囲】
【請求項１】
可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備え、
前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させるように補助安定化部材を配設した記録／再生装置であって、
前記補助安定化部材における空気力学的な力の作用面を、ディスク半径方向あるいはディスク円周方向の少なくとも一方に傾斜させる傾斜調整手段を備えたことを特徴とする記録／再生装置。
【請求項２】
前記傾斜調整手段が、前記補助安定化部材のディスク半径方向のチルト角を制御する機構であることを特徴とする請求項１記載の記録／再生装置。
【請求項３】
前記傾斜調整手段が、前記補助安定化部材のディスク円周方向のチルト角を制御する機構であることを特徴とする請求項１記載の記録／再生装置。
【請求項４】
前記補助安定化部材を傾ける際の回転中心を、該補助安定化部材の作用面上における作用点近傍に設定したことを特徴とする請求項１，２または３記載の記録／再生装置。
【請求項５】
前記記録ディスクのディスク仕様ごとに、前記補助安定化部材に設定された適正傾斜角の情報をあらかじめ記憶する記憶手段を備え、前記傾斜調整手段によりディスク仕様に応じて傾斜調整可能にしたことを特徴とする請求項１，２または３記載の記録／再生装置。
【請求項６】
当該装置で使用可能なディスク仕様範囲を限定して、該ディスク仕様範囲において設定された前記補助安定化部材の適正傾斜角の中心値に基づいて、前記補助安定化部材の傾きを固定したことを特徴とする請求項１，２，３または４記載の記録／再生装置。
【請求項７】
可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備え、
前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させるように補助安定化部材を配設した記録／再生装置に用いられる安定化調整方法であって、
前記補助安定化部材の空気力学的な力の作用面をディスク半径方向あるいはディスク円周方向の少なくとも一方に傾けることにより、前記主安定化部材に対向する前記作用力を適正化することを特徴とする記録／再生装置の安定化調整方法。
【請求項８】
前記記録ディスクの任意ディスク仕様ごとに、前記補助安定化部材の適正傾斜角の情報をあらかじめ記憶しておき、ディスク仕様に応じて前記補助安定化部材の傾きを調整することを特徴とする請求項７記載の記録／再生装置の安定化調整方法。
【請求項９】
当該装置において使用するディスク仕様範囲を限定して、前記補助安定化部材の傾きを、前記ディスク仕様範囲によって決定される前記補助安定化部材の適正傾斜角の中心値に固定して設定することを特徴とする請求項７記載の記録／再生装置の安定化調整方法。
【請求項１０】
前記補助安定化部材を傾斜調整することにより、前記補助安定化部材の空気力学的な力の作用点を該補助安定化部材の略回転中心に設定することを特徴とする請求項７，８または９記載の記録／再生装置の安定化調整方法。
【請求項１１】
内部に収納された可撓性を有する記録ディスクの回転時、ベルヌーイ効果を利用して少なくとも記録／再生位置付近における前記記録ディスクの面ぶれを抑制する主安定化部材と、前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させる補助安定化部材とが作用する構成のディスクカートリッジであって、
収納される記録ディスクの仕様に応じて設定された前記補助安定化部材の適正傾斜角に基づいて、前記補助安定化部材の傾きを固定してディスクカートリッジ内壁に配設したことを特徴とするディスクカートリッジ。
【発明の詳細な説明】
【０００１】
【発明の属する技術分野】
本発明は、可撓性を有する記録ディスクに対して記録および／または再生処理を行う記録／再生装置、およびその記録／再生装置に適用される安定化調整方法、ならびにディスクカートリッジに関するものである。
【０００２】
【従来の技術】
近年、テレビ放送のデジタル化が始まるなど、大容量のデジタルデータを記録することが情報記録媒体に求められている。例えば、光ディスクの分野においては、記録／再生のために光ディスクに集光される光スポット径を小さくすることが、高密度化のための基本的な方法の一つに挙げられる（以下、光ディスクを代表として説明するが、本発明が対象とする記録／再生装置に用いられる記録ディスクは、相変化メモリ，光磁気メモリ，ホログラムメモリなどのディスク状の記録ディスクで活用するものすべてを対象にし、特に光ディスクに限定するものではない）。
【０００３】
このため、光ディスクの高密度化においては、記録／再生のために用いられる光の波長を短く、かつ対物レンズの開口数ＮＡを大きくすることが有効である。光の波長についてはＣＤ（ｃｏｍｐａｃｔ  ｄｉｓｋ）では近赤外光の７８０ｎｍ、ＤＶＤ（ｄｉｇｉｔａｌ  ｖｅｒｓａｔｉｌｅ  ｄｉｓｋ）では赤色光の６５０ｎｍ近傍の波長が用いられている。最近、青紫光の半導体レーザが開発され、今後は４００ｎｍ近傍のレーザ光が使用されると予想される。
【０００４】
また、対物レンズについては、ＣＤ用はＮＡ０．５未満であったが、ＤＶＤ用はＮＡ０．６程度である。今後、さらに開口数（ＮＡ）を大きくしてＮＡ０．７以上とすることが求められる。しかし、対物レンズのＮＡを大きくすること、および光の波長を短くすることは、光を絞るときに収差の影響が大きくなることでもある。したがって、光ディスクのチルトに対するマージンが減ることになる。また、ＮＡを大きくすることによって焦点深度が小さくなるため、フォーカスサーボ精度を上げなくてはならない。
【０００５】
さらに、高ＮＡの対物レンズを使用することによって、対物レンズと光ディスクの記録面との距離が小さくなってしまうため、光ディスクの面ぶれを小さくしておかないと、始動時のフォーカスサーボを引き込む直前、対物レンズと光ディスクとが衝突することがあり、ピックアップの故障の原因となる。
【０００６】
短波長，高ＮＡの大容量光ディスクとして、例えば非特許文献１に記載されているように、ＣＤと同程度に厚く、かつ剛性の大きい基板に記録膜を成膜し、記録／再生用の光を基板を通さずに、薄いカバー層内を通して記録膜に対して記録／再生する構成のシステムが提案されている。
【０００７】
また、特許文献１〜３，非特許文献１には、ベルヌーイの法則による空気力学的作用力を利用して光ディスクにおける面ぶれを安定化させるため、安定化部材に対向させて可撓性を有する光ディスクを回転させる構成の記録／再生装置、あるいは可撓性を有する光ディスクの構成などについての記載がある。
【０００８】
【特許文献１】
特開平７−１０５６５７号公報
【特許文献２】
特開平１０−３０８０５９号公報
【特許文献３】
特開２００３−１１５１０８号公報
【非特許文献１】
「オプティカル・リードアウト・オブ・ビデオディスク」  アイイーイーイー・トランザクション・オン・コンシューマー・エレクトロニクス（“ＯＰＴＩＣＡＬ  ＲＥＡＤＯＵＴ  ＯＦ  ＶＩＤＥＯＤＩＳＣ”，ＩＥＥＥ  ＴＲＡＮＳＡＣＴＩＯＮ  ＯＮ  ＣＯＮＳＵＭＥＲ  ＥＬＥＣＴＲＯＮＩＣＳ），１９７６年１１月、Ｐ．３０４−３０８
【０００９】
【発明が解決しようとする課題】
しかしながら、前記従来の技術において、光ディスクの基板を剛体で形成すると、回転する光ディスクにおける面ぶれ，チルトを小さくするためには、きわめて正確な成形をし、かつ熱変形が生じないように低温で記録膜を成膜しなければならない。このことは、光ディスク製造に係るタクトタイムを長くすることになり、コストを上げる原因となる。
【００１０】
また、特許文献１，２に記載されているように可撓性のある光ディスクを安定板上で回転させる方法では、光ディスクと安定化板が接して摺動する危険性が高く、ディスク面あるいは安定化板面が傷ついてしまうという問題がある。この摺動により、発塵を引き起こして、その塵埃などがエラーを発生させる原因となる。
【００１１】
特に特許文献１に記載されているように、安定化板側に記録膜が存在する構成であると、摺動により光ディスクの記録膜を損傷して、直接エラーを引き起こすことになる。また、単に平面状の安定化板を用いただけでは、ディスク面振れの低減効果にも限界があり、高ＮＡの対物レンズを使用する際に、対物レンズとディスクが衝突する危険性は未だ問題として残されたままである。
【００１２】
安定化板を用いる方法の一つとして、非特許文献１に記載されているような方法もあるが、平面上の安定化板を用いるという構成の点では前記技術と同じであり、同様の問題が生じることが予想される。また、この方法においては、「ｓｍｏｏｔｈｉｎｇ  ｐｌａｔｅｓ」と称される安定化板とディスクの間に空気力学的な力が働くことが前提となっているが、例えば、ディスクがこの安定化板から離れる方向に反った形状である場合には、この空気力学的な力が有効に作用せず、ディスク面ぶれを制御することはできなくなる。また、この空気力学的な力の発現には、重力によってディスクが垂れる現象も利用しているため、ドライブ装置の縦置きなどには対応することができない。
【００１３】
これらの問題を解決するための１つの手段として、本発明者は、特許文献３などにおいて、光ディスクとの対向面が円弧状をなす円柱状の安定化ガイド部材を用い、光ディスクにおける安定化ガイド部材による空気圧の作用による面ぶれが安定する部位におけるディスク回転方向上流側と下流側とに空気圧の作用を生じさせない領域（安定化ガイド部材がない空間部）を設けて、面ぶれを安定化させた部位の前後位置に光ディスクに「逃げ」となる部分を存在させ、面ぶれを安定化させた部位での光ディスクにおける反発力を小さくすることにより、空気力による安定化力の効果を増大させる発明を提案した。
【００１４】
特許文献３の発明によれば、可撓性を有する光ディスクの面ぶれを確実に抑制し、高密度の記録を可能にし、また対物レンズとの摺接などの不具合の発生を防ぐことが可能となるが、反面、この実現においては、安定化ガイド部材と記録／再生ヘッドの複雑な位置調整制御が必要となるため、ドライブ制御系の負荷が大きくなるばかりでなく、装置コストがかなり高価なものになってしまう。
【００１５】
そこで、このような問題を解決するための１つの手段として、本発明者は、特願２００３−１９０８７号にて、図１４〜図１６に示すような構成の記録／再生装置を提案した。
【００１６】
図１４は記録／再生装置の要部の平面図、図１５は図１４におけるＥ−Ｅ’線断面図、図１６は図１４における記録／再生装置の正面図であり、１は可撓性を有する記録ディスクである光ディスク、２は光ディスク１の回転中心（中央）部分に装着された光ディスク１を回転させるために保持する一方の保持部材であるハブ、３は他方の保持部材であるチャッキング部をハブ２に嵌合して光ディスク１を回転駆動するスピンドルモータ、４は、光ディスク１の半径方向に移動して光ディスク１に対して光ビームを集光させ、情報の記録／再生処理を行うため光ディスク１に対して光走査（動線Ｒ方向）を行う記録／再生手段の光ピックアップである。
【００１７】
さらに、５は、光ピックアップ４と共に光ディスク１の半径方向に移動し、ベルヌーイの法則による空気力学的作用力を利用して、光ディスク１における少なくとも光ピックアップ４による記録／再生位置付近の光ディスクの面ぶれを抑制する主安定化部材、６は同様に光ディスク１に対して空気力学的作用力を作用させる補助安定化部材であって、主安定化部材５と補助安定化部材６とは光ディスク１の記録面とは反対側のディスク基板側に配設されている。
【００１８】
また補助安定化部材６は、本例では、光ディスク１の面内を光ピックアップ４が走査するために移動する動線Ｒと近接し、かつ光ディスク１の中心付近を通る直線（図では動線Ｒ上に記載したが、動線Ｒ近傍にあるものも含む）Ａによって分けた２つの領域Ｓ１，Ｓ２のそれぞれに、主安定化部材５に対して独立して１つずつ対称位置に配設されている。
【００１９】
このように光ピックアップ４付近に配設した主安定化部材５の他に、補助安定化部材６を前記のような特定位置に配設することによって、主安定化部材５が位置する光ディスク１において主安定化部材５に対向する作用力を発生させ、光ディスク１に対して主安定化部材５を大きく押し込まずとも空気力によるディスク面の面ぶれ安定化効果を得ることができる。
【００２０】
図１４〜図１６に示す構成の発明では、主安定化部材５を一つだけ用いた場合に比べて、主安定化部材５の押し込み量が浅い位置において十分な面ぶれ低減効果が得られ、これにより、主安定化部材５および光ピックアップ４におけるディスク半径方向の動線をディスク基準面に近い範囲に限定することができるため、動作機構の簡略化を図ることができる。
【００２１】
なお、図１４〜図１６において、２１は補助安定化部材６と光ディスク１の近接点（作用点）、２２は補助安定化部材６と光ディスク１の近接領域、２３は補助安定化部材６の作用面の中心を示している。
【００２２】
しかしながら、この発明において、例えば、光ディスク１との対向面が円弧状をなす円柱状の補助安定化部材６を用いた場合には、図１４に示すように、厳密にはその空気力学的な力の作用点２３が、補助安定化部材６と光ディスク１の近接点２１からずれ、補助安定化部材６による空気力学的な力が十分に作用しない場合が存在した。場合によっては、この現象は光ディスク１と補助安定化部材６との接触摺動を引き起こし、本装置における記録／再生の信頼性上の問題となる。
【００２３】
本発明の目的は、前記の課題を解決し、ベルヌーイ効果を作用させる主安定化部材と補助安定化部材との構成において、補助安定化部材による空気力学的な作用力を適正化して、良好なディスク面ぶれの低減を実現する記録／再生装置および安定化調整方法ならびにディスクカートリッジを提供することにある。
【００２４】
【課題を解決するための手段】
前記目的を達成するため、請求項１に記載の発明は、可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備え、前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させるように補助安定化部材を配設した記録／再生装置であって、前記補助安定化部材における空気力学的な力の作用面を、ディスク半径方向あるいはディスク円周方向の少なくとも一方に傾斜させる傾斜調整手段を備えたことを特徴とし、この構成によって、補助安定化部材の記録ディスクに対する空気力学的な力を確実に作用させることができるようになり、主安定化部材が位置する記録ディスク面において、主安定化部材に対向する作用力を効率よく発生させることが可能となる。これにより、主安定化部材および記録／再生手段におけるディスク半径方向の動線をディスク基準面に近い範囲に限定することができ、動作機構の簡略化を図ることができる。
【００２５】
請求項２に記載の発明は、請求項１記載の記録／再生装置において、傾斜調整手段が、補助安定化部材のディスク半径方向のチルト角を制御する機構であることを特徴とし、この構成によって、補助安定化部材の作用点のディスク半径方向位置を調整することが可能となる。
【００２６】
請求項３に記載の発明は、請求項１記載の記録／再生装置において、傾斜調整手段が、補助安定化部材のディスク円周方向のチルト角を制御する機構であることを特徴とし、この構成によって、補助安定化部材の作用点のディスク円周方向位置を調整することが可能となる。
【００２７】
請求項４に記載の発明は、請求項１，２または３記載の記録／再生装置において、補助安定化部材を傾ける際の回転中心を、該補助安定化部材の作用面上における作用点近傍に設定したことを特徴とし、この構成によって、補助安定化部材のチルト角を調整した場合においても、最終的な目標となる作用点位置を固定することが可能となる。すなわち、補助安定化部材のチルト角により、前記作用点がディスク回転中心位置となるように設定すれば、前記回転中心と前記作用点を常に一致させることが可能となる。これにより、前記回転中心を基準に補助安定化部材の位置調整を行った場合においても、この操作によって前記作用点位置を前記回転中心位置により管理することができる。
【００２８】
請求項５に記載の発明は、請求項１，２または３記載の記録／再生装置において、記録ディスクのディスク仕様ごとに、補助安定化部材に設定された適正傾斜角の情報をあらかじめ記憶する記憶手段を備え、傾斜調整手段によりディスク仕様に応じて傾斜調整可能にしたことを特徴とし、この構成によって、様々なディスク仕様に対して、補助安定化部材の作用の適正化を図ることが可能となる。
【００２９】
請求項６に記載の発明は、請求項１，２，３または４記載の記録／再生装置において、当該装置で使用可能なディスク仕様範囲を限定して、該ディスク仕様範囲において設定された補助安定化部材の適正傾斜角の中心値に基づいて、補助安定化部材の傾きを固定したことを特徴とし、この構成によって、固定した補助安定化部材の配置条件を任意仕様範囲のディスクに適用できることにより、補助安定化部材の機構の簡略化が図れる。また、補助安定化部材をディスクカートリッジに固定することも可能となる。
【００３０】
請求項７に記載の発明は、可撓性を有する記録ディスクを回転させ、ベルヌーイ効果を利用して少なくとも記録／再生位置付近における前記記録ディスクの面ぶれを抑制する主安定化部材と、前記記録ディスクの主たるベルヌーイ効果の作用面とは逆の面において記録および／または再生を行う記録／再生手段とを備え、前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させるように補助安定化部材を配設した記録／再生装置に用いられる安定化調整方法であって、前記補助安定化部材の空気力学的な力の作用面をディスク半径方向あるいはディスク円周方向の少なくとも一方に傾けることにより、前記主安定化部材に対向する前記作用力を適正化することを特徴とし、この構成によって、補助安定化部材の記録ディスクに対する空気力学的な力を確実に作用させることができるようになり、主安定化部材が位置する記録ディスク面において、主安定化部材に対向する作用力を効率よく発生させることが可能となる。これにより、主安定化部材および記録／再生手段におけるディスク半径方向の動線をディスク基準面に近い範囲に限定することができ、動作機構の簡略化を図ることができる。
【００３１】
請求項８に記載の発明は、請求項７記載の記録／再生装置の安定化調整方法において、記録ディスクの任意ディスク仕様ごとに、補助安定化部材の適正傾斜角の情報をあらかじめ記憶しておき、ディスク仕様に応じて補助安定化部材の傾きを調整することを特徴とし、この構成によって、様々なディスク仕様に対して、補助安定化部材の作用の適正化を図ることが可能となる。
【００３２】
請求項９に記載の発明は、請求項７記載の記録／再生装置の安定化調整方法において、当該装置において使用するディスク仕様範囲を限定して、補助安定化部材の傾きを、ディスク仕様範囲によって決定される補助安定化部材の適正傾斜角の中心値に固定して設定することを特徴とし、この構成によって、固定した補助安定化部材の配置条件を任意仕様範囲のディスクに適用できることにより、補助安定化部材の機構の簡略化が図れる。また、補助安定化部材をディスクカートリッジに固定することも可能となる。
【００３３】
請求項１０に記載の発明は、請求項７，８または９記載の記録／再生装置の安定化調整方法において、補助安定化部材を傾斜調整することにより、補助安定化部材の空気力学的な力の作用点を該補助安定化部材の略回転中心に設定することを特徴とし、この構成によって、様々なディスク仕様に対して、補助安定化部材の作用の適正化を図ることが可能となる。
【００３４】
請求項１１に記載の発明は、内部に収納された可撓性を有する記録ディスクの回転時、ベルヌーイ効果を利用して少なくとも記録／再生位置付近における前記記録ディスクの面ぶれを抑制する主安定化部材と、前記記録ディスクの面内を、前記記録／再生手段が走査する動線に近接し、かつ該記録ディスクの中心付近を通る直線Ａによって２つの領域に分け、該領域の少なくとも一方に、空気力学的な作用力を発生させて、前記主安定化部材が位置する前記記録ディスク面において前記主安定化部材に対向する作用力を発生させる補助安定化部材とが作用する構成のディスクカートリッジであって、収納される記録ディスクの仕様に応じて設定された前記補助安定化部材の適正傾斜角に基づいて、前記補助安定化部材の傾きを固定してディスクカートリッジ内壁に配設したことを特徴とし、記録／再生装置から補助安定化部材を省くことが可能となり、記録／再生装置側の構成の簡略化が図れる。また、この構成によれば、ディスク仕様ごとに、適正な補助安定化部材を備えた個別のディスクカートリッジの設計も可能となる。
【００３５】
【発明の実施の形態】
以下、本発明の実施の形態を図面を参照して説明する。
【００３６】
図１は本発明の記録／再生装置の実施形態１を説明するための要部の平面図、図２（ａ）は図１におけるＥ−Ｅ’線断面図、図２（ｂ）は図１におけるＦ−Ｆ’線断面図、図３は図１における記録／再生装置の正面図であり、１は可撓性を有する記録ディスクである光ディスク、２は光ディスク１の回転中心（中央）部分に装着された光ディスク１を回転させるために保持する一方の保持部材であるハブ、３は他方の保持部材であるチャッキング部をハブ２に嵌合して光ディスク１を回転駆動するスピンドルモータ、４は、光ディスク１の半径方向に移動して光ディスク１に対して光ビームを集光させ、情報の記録／再生処理を行うため光ディスク１に対して光走査（動線Ｒ方向）を行う記録／再生手段である光ピックアップである。
【００３７】
さらに、５は、正面から見て光ディスク１側が円弧状に突出し、図１に示すように、光ピックアップ４の移動に同期してディスク半径方向の光ピックアップ走査動線Ｒ方向に移動する主安定化部材であって、主安定化部材５は、ベルヌーイの法則による空気力学的作用力を利用して、光ディスク１における少なくとも光ピックアップ４による記録／再生位置付近の面ぶれを抑制するものである。
【００３８】
さらに、６は、主安定化部材５と共に作用して、光ディスク１に対して空気力学的作用力を作用させる補助安定化部材であって、主安定化部材５と補助安定化部材６とは光ディスク１の記録面とは反対側のディスク基板側に配設されている。
【００３９】
また、実施形態１では、光ディスク１の面内を光ピックアップ４が走査するために移動する動線Ｒと近接し、かつ光ディスク１の中心付近を通る直線（図では動線Ｒ上に記載したが、動線Ｒ近傍にあるものも含む）Ａによって分けた２つの領域Ｓ１，Ｓ２のうち、光ピックアップ４における光ディスク回転方向の下流側に位置する領域Ｓ２に、主安定化部材５とは独立して補助安定化部材６を少なくとも１つ（実施形態１では１つのみを示す）配設している。
【００４０】
また、主安定化部材５には、ディスク半径方向の移動制御機構１１とディスク回転軸方向の位置制御機構１２を具備させ、また各補助安定化部材６には、ディスク回転軸方向の位置制御機構１３と、ディスク半径方向とディスク円周方向の傾斜調整手段であるチルト制御機構１４を具備させており、移動制御機構１１，位置制御機構１２および１３，チルト制御機構１４は、それぞれ各種設定データなどを記憶するメモリ１５から制御データを受ける駆動部１６により駆動制御される。
【００４１】
また、補助安定化部材６のチルト角制御機構１４のチルト角制御における回転中心は、補助安定化部材６の作用面中心（作用点）２３の位置としている。なお、図１〜図３中において、２１は補助安定化部材６と光ディスク１の近接点、２２は補助安定化部材６と光ディスク１の近接領域を示している。
【００４２】
図４は本発明の記録／再生装置の実施形態２を説明するための要部の平面図、図５（ａ）は図４におけるＥ−Ｅ’線断面図、図５（ｂ）は図４におけるＦ−Ｆ’線断面図である。なお、以下の説明において、既に説明した部材に対応する部材には同一符号を付して詳しい説明は省略する。
【００４３】
実施形態２が実施形態１と異なる点は、実施形態１にて説明したのと同様にして分けた２つの領域Ｓ１，Ｓ２のそれぞれに、主安定化部材５と独立して補助安定化部材６を少なくとも１つずつ（実施形態２では各領域に１つ）を、対称位置に配設した構成である。
【００４４】
図６は本発明の記録／再生装置の実施形態３を説明するための要部の平面図、図７（ａ）は図６におけるＥ−Ｅ’線断面図、図７（ｂ）は図６におけるＦ−Ｆ’線断面図であって、実施形態３が実施形態２と異なる点は、図５（ａ），（ｂ）と比較して分かるように、図７（ａ），（ｂ）に示すような補助安定化部材６のディスク円周方向傾きの調整方向である。
【００４５】
各実施形態の動作について説明する。
【００４６】
前記各実施形態における基本構成である安定化部材と可撓性を有するディスクとの間でベルヌーイの法則による空気力学的な力を発生させて、ディスク面ぶれを抑制するためには、安定化部材とディスク間の釣り合い条件が重要であり、特にディスクの安定化部材に向かう反力が重要なパラメータとなる。この反力はディスクの剛性と、ディスクが回転して平坦化しようとすることによって発生する浮上力によって決定されるため、原理的に、前記釣り合い条件は安定化部材の半径位置，ディスク回転数、およびディスク仕様がパラメータによって左右され、複雑な調整駆動機構が必要になる。
【００４７】
この点に関して各種実験を行い考察を行ったところ、任意の安定化部材によりディスク面に空気力学的な力を作用させた際には、該安定化部材におけるディスク回転方向の上下流のほぼ±９０度付近のディスク面が、ディスクを理想平面と考えた場合のディスク基準面付近に近づく現象を示した。
【００４８】
そこで、任意の安定化部材から±９０度ずれた位置のディスク面がディスク基準面付近に近づく現象を、上述した反力として利用して、安定化部材とディスク間の釣り合い条件を調整することを目標とした結果、その通りディスク面を効率的に安定化させる効果が得られた。
【００４９】
しかしながら、調整に用いた安定化部材（補助安定化部材）位置においては、図１４〜図１６に示すように、その空気力学的な力の作用点が、補助安定化部材の中心点からずれる現象が観察され、このずれが原因となって、前述した補助安定化部材の効果を阻害する場合があることが明らかとなった。この点に関して、さらなる各種実験を行い考察を行ったところ、補助安定化部材のチルト角を調整することにより、補助安定化部材６の中心点と、補助安定化部材の空気力学的な力の作用点を一致させることができることを見出した。
【００５０】
本実施形態では、補助安定化部材６のチルト角によって、補助安定化部材６の空気力学的な力の作用点を適正位置に調整し、補助安定化部材６の光ディスク１に対する空気力学的な力を確実に作用させるようにしている。
【００５１】
実施形態１では、補助安定化部材６の空気力学的な力を光ディスク１に対して適正に作用させることにより、光ディスク１が主安定化部材５に対向する力を効率的に発生させることができ、主安定化部材５の移動位置において十分な面ぶれ低減効果が得られた。これにより、主安定化部材５および光ピックアップ４のディスク半径方向の動線Ｒを、面ぶれが抑制されたディスク基準面に近い範囲（斜線にて図示した比較的広い領域）Ｈ内に位置させることができ、このための調整機構に余裕を持たせることができることになり、調整機構の簡略化を図ることができた。
【００５２】
なお、実施形態１の構成は、主安定化部材５のみで装置を構成した場合に、主安定化部材５における下流側のディスク面が主安定化部材５に近接する側に変位するような光ディスク１における一例であり、例えば、光ディスク１の静的な反り形状が光ピックアップ４側に凸状となるような光ディスク１がこれに相当した。この際の補助安定化部材のチルト角の調整は、ディスク半径方向に対し、外周側を光ピックアップに近づける方向、ディスク円周方向に対し、ディスク中心に向かって右回りの方向（補助安定化部材のディスク回転上流側をディスクに近づける方向）が妥当であった。
【００５３】
また、例えば、主安定化部材５のみで装置を構成した場合に、主安定化部材５における上流側のディスク面が主安定化部材５に近接する側に変位するような光ディスク１（光ディスク１の静的な反り形状が光ピックアップ４側に凹状となるような光ディスク１がこれに相当）においては、実施形態１を変形してディスク回転方向を逆転させた構成が適用でき、同形態においても、補助安定化部材６の空気力学的な力を光ディスク１に対して適正に作用させることにより、光ディスク１が主安定化部材５に対向する力を効率的に発生させることができ、主安定化部材５の移動位置において十分な面ぶれ低減効果が得られた。この際の補助安定化部材６のチルト角の調整は、ディスク半径方向に対しては外周側を光ピックアップ４に近づける方向、ディスク円周方向に対してはディスク中心に向かって右回りの方向（補助安定化部材のディスク回転下流側をディスクに近づける方向）が妥当であった。
【００５４】
実施形態２の構成においても、両補助安定化部材６の空気力学的な力を光ディスク１に対して適正に作用させることにより、光ディスク１が主安定化部材５に対向する力を効率的に発生させることができ、主安定化部材５の移動位置において十分な面ぶれ低減効果が得られた。
【００５５】
これにより、主安定化部材５および光ピックアップ４におけるディスク半径方向の動線Ｒを、面ぶれが抑制されたディスク基準面に近い範囲（斜線にて図示した比較的広い領域）Ｈ内に位置させることができ、このための調整機構に余裕を持たせることができることになり、調整機構の簡略化を図ることができた。
【００５６】
なお、実施形態２の構成は、主安定化部材５のみで装置を構成した場合に、主安定化部材５における下流側のディスク面が主安定化部材５に近接する側に変位するような光ディスク１における一例であり、例えば、光ディスク１の静的な反り形状が光ピックアップ４側に凸状となるような光ディスク１がこれに相当した。この際の両補助安定化部材６のチルト角の調整は、ディスク半径方向に対しては外周側を光ピックアップ４に近づける方向、ディスク円周方向に対してはディスク中心に向かって右回りの方向（補助安定化部材６のディスク回転上流側を光ディスク１に近づける方向）が妥当であった。
【００５７】
実施形態３の構成においても、両補助安定化部材６の空気力学的な力を光ディスク１に対して適正に作用させることにより、光ディスク１が主安定化部材５に対向する力を効率的に発生させることができ、主安定化部材５の移動位置において十分な面ぶれ低減効果が得られた。
【００５８】
これにより、主安定化部材５および光ピックアップ４におけるディスク半径方向の動線Ｒを、面ぶれが抑制されたディスク基準面に近い範囲（斜線にて図示した比較的広い領域）Ｈ内に位置させることができ、このための調整機構に余裕を持たせることができることになり、調整機構の簡略化を図ることができた。
【００５９】
なお、実施形態３の構成は、主安定化部材５のみで装置を構成した場合に、主安定化部材５における上流側のディスク面が主安定化部材５に近接する側に変位するような光ディスク１における一例であり、例えば、光ディスク１の静的な反り形状が光ピックアップ４側に凹状となるような光ディスク１がこれに相当した。この際の両補助安定化部材６のチルト角の調整は、ディスク半径方向に対しては外周側を光ピックアップに近づける方向、ディスク円周方向に対してはディスク中心に向かって左回りの方向（補助安定化部材６のディスク回転下流側をディスクに近づける方向）が妥当であった。
【００６０】
実施形態１〜３の構成において、主安定化部材５にディスク回転軸方向の位置制御機構、あるいはチルト制御系などを付加して、より高精度の微調整を行うことにより、記録／再生位置における面ぶれを最適化することも可能であった。
【００６１】
図８は本発明の記録／再生装置の実施形態３の変形例を説明するための要部の平面図、図９（ａ）は図８におけるＥ−Ｅ’線断面図、図９（ｂ）は図８におけるＦ−Ｆ’線断面図であって、実施形態３においては、図８，図９に示す変形例のように、光ディスク１のハブ２を、図３に示すスピンドルモータ３のチャッキング部に固定して、各安定化部材５，６側を押して撓ませた場合に光ディスク１において撓みが始まる支点位置（図８ではハブ２の外周）を結んだ周部（図８では円形領域）と直線Ａとが交差する２点を通り、かつ該直線Ａに垂直な２つの直線、すなわち主安定化部材５に近い側の直線Ｂ１と遠い側の直線Ｂ２とにより挟まれたディスク面上の領域Ｃにおいて、主安定化部材５に近い側の直線Ｂ１近傍に、補助安定化部材６の作用点２３を配置する構成とすることにより、主安定化部材５の移動位置でのディスク面ぶれをより低減させ、前述の効果を十分奏し得た。
【００６２】
なお、前記実施形態における補助安定化部材６の傾斜調整としては、装置において使用される光ディスクのディスク仕様ごとに、あらかじめテストなどを行ってディスク仕様に対応させて設定した補助安定化部材６の最適傾斜角情報を、図３に示すメモリ１５に記憶させておき、光ディスクが装置に装填されると、自動的にメモリ１５から該光ディスクのディスク仕様に対応する適正傾斜角情報を読み出し、チルト制御機構１４を駆動して傾斜調整を行うようにすることが考えられる。
【００６３】
さらに、当該装置で使用可能なディスク仕様範囲を限定して、該ディスク仕様範囲において設定された補助安定化部材６の適正傾斜角の中心値に基づき傾きを固定し、補助安定化部材６を適所に設置するようにしてもよい。このようにすることにより、固定した補助安定化部材６の配置条件を任意仕様範囲のディスクに適用でき、補助安定化部材６の機構の簡略化を図ることができる。
【００６４】
前記各実施形態は、前記補助安定化部材６を、図１０に例示するように、装置本体の筐体３０に設けることにより、光ディスクを収納するディスクカートリッジを用いないか、あるいはディスクカートリッジから光ディスクを取り出して駆動する記録／再生装置において実施することができる。
【００６５】
また、前記各実施形態における補助安定化部材６は、図１１に示すように、ディスクカートリッジ３１の内壁に設けることも可能であり、このように構成することにより、記録／再生装置側の構成を簡略化することができる。さらに、この構成においては、ディスクカートリッジ３１に補助安定化部材６を個別に設定することができることから、様々なディスク仕様ごとに補助安定部材６を個々に設計可能となり、ディスク仕様のばらつきによる安定化条件のずれを補正することまでもが可能となる。
【００６６】
ディスクカートリッジ３１としては、例えば図１２，図１３に示す構成のものを例示することができる。図１２，図１３において、３２は、主安定化部材５が挿入され、ディスク半径方向に移動可能にするための第１の通孔部、３３は、光ピックアップ４およびスピンドルモータ３の一部が挿入され、かつ光ピックアップ４をディスク半径方向に移動可能にするための第２の通孔部である。なお、前記通孔部３２，３３を開閉するためのシャッタ、あるいはカートリッジ内で光ディスク１を固定するための機構、さらにカートリッジをスピンドルモータ３に設置する際に必要なその他の機構などに関しては図示していない。
【００６７】
前記実施形態においては、補助安定化部材を主安定化部材と同じ側に配置する構成例を説明したが、補助安定化部材を主安定化部材とディスクを挟んで逆側に配置しても同様のディスク面ぶれ低減効果が得られる。
【００６８】
次に、本発明をより具体的に実施例に基づいて説明する。
【００６９】
（実施例１）
実施例１において、図１，図２に示す構成を採用しており、補助安定化部材６は、光ディスク（直径１２０ｍｍ）１に対向する面を曲率半径１００ｍｍとした直径１５ｍｍの円柱状の形状とし、主安定化部材５は、光ディスク１に対向する面を曲率半径１００ｍｍとした直径１０ｍｍの円柱状の形状とした。また補助安定化部材６は、主安定化部材５よりもディスク回転方向下流側の９０度位置で、ディスク対向面の中心が光ディスク１の半径４５ｍｍの位置となるように配置した。図示していないが、主安定化部材５には、ディスク半径方向の移動機構とディスク回転軸方向の位置制御機構を具備させ、また補助安定化部材６には、ディスク回転軸方向の位置制御機構と、ディスク半径方向とディスク円周方向のチルト制御機構を具備させた。なお、補助安定化部材６のチルト制御機構のチルト角制御における回転中心は、前記補助安定化部材の作用面の中心位置とした。
【００７０】
また実施例１では、ディスク基板として１２０ｍｍ，厚さ７５μｍのポリカーボネイト製シートを用いた場合について説明する。ディスクを準備するにあたっては、まず、前記シートに、熱転写でスタンパのピッチ０．６μｍ，幅０．３μｍのグルーブを転写し、その後、スパッタリングによりシート／Ａｇ反射層  １２０ｎｍ／（ＺｒＯ２−Ｙ２Ｏ３）−ＳｉＯ２  ７ｎｍ／ＡｇＩｎＳｂＴｅＧｅ  １０ｎｍ／ＺｎＳ−ＳｉＯ２  ２５ｎｍ／Ｓｉ３Ｎ４  １０ｎｍの順番に成膜した。情報記録領域は内周直径４０ｍｍから外周直径１１８ｍｍまで（半径２０ｍｍ〜５８ｍｍ）の範囲に設定した。その後、ＵＶ樹脂をスピンコートし、紫外線照射で硬化させて厚さ５μｍの透明保護膜を形成した。また、逆側の面には１０μｍ厚のハードコートを施した。なお、ディスク中心部には外形直径３０ｍｍ，内径直径１５ｍｍ、厚み０．３ｍｍのハブ２を取り付けた。このディスクの仕上がり状態はハードコート側に僅かに反った形状となった。
【００７１】
前記光ディスク１を１５ｍ／ｓｅｃのディスク回転数で回転させ、補助安定化部材と主安定化部材を所定位置に配置してディスク面振れを安定化し、光ピックアップ４の位置にレーザ変位計を配置してディスク面ぶれを評価した。また、前記補助安定化部材と前記記録ディスクの間の接触を前記補助安定化部材に配置した図示していないＡＥセンサによって検知し、その接触摺動状態を評価した。ここにおいて、補助安定化部材は、ディスク半径方向に対し、外周部を光ピックアップに近づける方向に１度、ディスク円周方向に対し、ディスク中心に向かって右回りの方向に０．７度傾け、また、ディスク基準面を基準として０．５ｍｍ押し込む位置に配置した。なお、ここでのディスク基準面とは、ディスクが理想的に平坦であると仮定した場合の主安定化部材５側のディスク面のことであり、また、この押し込み量を決める補助安定化部材６の基準位置はチルト角制御の中心位置とした。
【００７２】
（実施例２）
実施例２では、実施例１の構成を基本として、補助安定化部材６の位置を、主安定化部材５よりもディスク回転方向上流側の９０度位置で、ディスク対向面の中心がディスクの半径４５ｍｍ位置となるような配置に変更した。
【００７３】
また、光ディスク１は、実施例１の仕様からハードコートを省いた構成とした。これにより、光ディスク１の仕上がり状態は、透明保護膜側に僅かに反った形状となった。
【００７４】
前記光ディスク１を１５ｍ／ｓｅｃのディスク回転数で回転させ、補助安定化部材と主安定化部材を所定位置に配置してディスク面振れを安定化し、光ピックアップ４の位置にレーザ変位計を配置してディスク面ぶれを評価した。また、前記補助安定化部材と前記記録ディスクの間の接触を前記補助安定化部材に配置した図示していないＡＥセンサによって検知し、その接触摺動状態を評価した。ここにおいて、補助安定化部材は、ディスク半径方向に対し、外周部を光ピックアップに近づける方向に２度、ディスク円周方向に対し、ディスク中心に向かって左回りの方向に１度傾け、また、ディスク基準面を基準として１ｍｍ押し込む位置に配置した。なお、ここでのディスク基準面とは、ディスクが理想的に平坦であると仮定した場合の主安定化部材５側のディスク面のことであり、また、この押し込み量を決める補助安定化部材６の基準位置はチルト角制御の中心位置とした。
【００７５】
（実施例３）
実施例３では、図４，図５に示す構成を採用しており、両補助安定化部材６は、光ディスク（直径１２０ｍｍ）１に対向する面を曲率半径１００ｍｍとした直径１５ｍｍの円柱状の形状とし、主安定化部材５は、光ディスク１に対向する面を曲率半径１００ｍｍとした直径１０ｍｍの円柱状の形状とした。また両補助安定化部材６は、主安定化部材５におけるディスク回転方向上下流の９０度の両位置で、ディスク対向面の中心が光ディスク１の半径４５ｍｍの位置となるように配置した。図示していないが、主安定化部材５には、ディスク半径方向の移動機構とディスク回転軸方向の位置制御機構を具備させ、また両補助安定化部材６には、ディスク回転軸方向の位置制御機構と、ディスク半径方向とディスク円周方向のチルト制御機構を具備させた。なお、補助安定化部材６のチルト角制御機構のチルト角制御における回転中心は、前記補助安定化部材の作用面の中心位置とした。
【００７６】
光ディスク１は実施例１と同様のものを用いた。
【００７７】
前記光ディスク１を１５ｍ／ｓｅｃのディスク回転数で回転させ、両補助安定化部材と主安定化部材を所定位置に配置してディスク面ぶれを安定化し、光ピックアップ４の位置にレーザ変位計を配置してディスク面ぶれを評価した。また、前記補助安定化部材と前記記録ディスクの間の接触を前記補助安定化部材に配置した図示していないＡＥセンサによって検知し、その接触摺動状態を評価した。ここにおいて、両補助安定化部材は、ディスク半径方向に対し、外周部を光ピックアップに近づける方向に０．７度、ディスク円周方向に対し、ディスク中心に向かって右回りの方向に０．４度傾け、また、ディスク基準面を基準として０．３ｍｍ押し込む位置に配置した。なお、ここでのディスク基準面とは、ディスクが理想的に平坦であると仮定した場合の主安定化部材５側のディスク面のことであり、また、この押し込み量を決める両補助安定化部材６の基準位置はチルト角制御の中心位置とした。
【００７８】
（実施例４）
実施例４では、図６，図７に示す構成を採用しており、両補助安定化部材６は、光ディスク（直径１２０ｍｍ）１に対向する面を曲率半径１００ｍｍとした直径１５ｍｍの円柱状の形状とし、主安定化部材５は、光ディスク１に対向する面を曲率半径１００ｍｍとした直径１０ｍｍの円柱状の形状とした。また両補助安定化部材６は、主安定化部材５におけるディスク回転方向上下流の９０度の両位置で、ディスク対向面の中心が光ディスク１の半径４５ｍｍの位置となるように配置した。図示していないが、主安定化部材５には、ディスク半径方向の移動機構とディスク回転軸方向の位置制御機構を具備させ、また両補助安定化部材６には、ディスク回転軸方向の位置制御機構と、ディスク半径方向とディスク円周方向のチルト制御機構を具備させた。なお、補助安定化部材６のチルト制御機構のチルト角制御における回転中心は、前記補助安定化部材の作用面の中心位置とした。
【００７９】
また、光ディスク１は、実施例１の仕様からハードコートを省いた構成とした。これにより、光ディスク１の仕上がり状態は、透明保護膜側に僅かに反った形状となった。
【００８０】
前記光ディスク１を１５ｍ／ｓｅｃのディスク回転数で回転させ、両補助安定化部材と主安定化部材を所定位置に配置してディスク面ぶれを安定化し、光ピックアップ４の位置にレーザ変位計を配置してディスク面ぶれを評価した。また、前記補助安定化部材と前記記録ディスクの間の接触を前記補助安定化部材に配置した図示していないＡＥセンサによって検知し、その接触摺動状態を評価した。ここにおいて、両補助安定化部材は、ディスク半径方向に対し、外周部を光ピックアップに近づける方向に１度、ディスク円周方向に対し、ディスク中心に向かって左回りの方向に０．７度傾け、また、ディスク基準面を基準として０．５ｍｍ押し込む位置に配置した。なお、ここでのディスク基準面とは、ディスクが理想的に平坦であると仮定した場合の主安定化部材５側のディスク面のことであり、また、この押し込み量を決める両補助安定化部材６の基準位置はチルト角制御の中心位置とした。
【００８１】
（実施例５）
実施例５では、図８，図９に示す構成を採用しており、両補助安定化部材６は、光ディスク（直径１２０ｍｍ）１に対向する面を曲率半径１００ｍｍとした直径１５ｍｍの円柱状の形状とし、主安定化部材５は、光ディスク１に対向する面を曲率半径１００ｍｍとした直径１０ｍｍの円柱状の形状とした。また両補助安定化部材６は、主安定化部材５におけるディスク回転方向上下流の７５度の両位置で、ディスク対向面の中心が光ディスク１の半径４５ｍｍの位置となるように配置した。図示していないが、主安定化部材５には、ディスク半径方向の移動機構とディスク回転軸方向の位置制御機構を具備させ、また両補助安定化部材６には、ディスク回転軸方向の位置制御機構と、ディスク半径方向とディスク円周方向のチルト制御機構を具備させた。なお、補助安定化部材６のチルト制御機構のチルト角制御における回転中心は、前記補助安定化部材の作用面の中心位置とした。
【００８２】
光ディスク１は実施例１と同様のものを用いた。
【００８３】
前記光ディスク１を１５ｍ／ｓｅｃのディスク回転数で回転させ、両補助安定化部材と主安定化部材を所定位置に配置してディスク面ぶれを安定化し、光ピックアップ４の位置にレーザ変位計を配置してディスク面ぶれを評価した。また、前記補助安定化部材と前記記録ディスクの間の接触を前記補助安定化部材に配置した図示していないＡＥセンサによって検知し、その接触摺動状態を評価した。ここにおいて、両補助安定化部材は、ディスク半径方向に対し、外周部を光ピックアップに近づける方向に０．７度、ディスク円周方向に対し、ディスク中心に向かって右回りの方向に０．４度傾け、また、ディスク基準面を基準として０．３ｍｍ押し込む位置に配置した。なお、ここでのディスク基準面とは、ディスクが理想的に平坦であると仮定した場合の主安定化部材５側のディスク面のことであり、また、この押し込み量を決める両補助安定化部材６の基準位置はチルト角制御の中心位置とした。
【００８４】
（比較例）
本比較例においては、図１４〜図１６に示す構成を採用しており、両補助安定化部材６は、光ディスク（直径１２０ｍｍ）１に対向する面を曲率半径１００ｍｍとした直径１５ｍｍの円柱状の形状とし、主安定化部材５は、光ディスク１に対向する面を曲率半径１００ｍｍとした直径１０ｍｍの円柱状の形状とした。また両補助安定化部材６は、主安定化部材５におけるディスク回転方向上下流の９０度の両位置で、ディスク対向面の中心が光ディスク１の半径４５ｍｍの位置となるように配置した。図示していないが、主安定化部材５には、ディスク半径方向の移動機構とディスク回転軸方向の位置制御機構を具備させ、また両補助安定化部材６には、ディスク回転軸方向の位置制御機構を具備させた。
【００８５】
光ディスク１は実施例１と同様のものを用いた。
【００８６】
前記光ディスク１を１５ｍ／ｓｅｃのディスク回転数で回転させ、両補助安定化部材と主安定化部材を所定位置に配置してディスク面ぶれを安定化し、光ピックアップ４の位置にレーザ変位計を配置してディスク面ぶれを評価した。また、前記補助安定化部材と前記記録ディスクの間の接触を前記補助安定化部材に配置した図示していないＡＥセンサによって検知し、その接触摺動状態を評価した。両補助安定化部材は、ディスク基準面を基準として０．５ｍｍ押し込む位置に配置した。なお、ここでのディスク基準面とは、ディスクが理想的に平坦であると仮定した場合の主安定化部材５側のディスク面のことであり、また、この押し込み量を決める両補助安定化部材６の基準位置は補助安定化部材の作用面中心とした。
【００８７】
各実施例と比較例とにおいて、半径５５ｍｍ位置のディスク面ぶれ、および同面ぶれ安定化を行った際のディスクと補助安定化部材の摺動状態をテストした結果は、図１７に示すようになった。
【００８８】
各実施例においては、補助安定化部材のチルト角の調整により、図１〜４に図示するように、補助安定部材６と光ディスク１の近接点２１、すなわち空気力学的な力の作用点と、補助安定化部材６の作用面中心２３、すなわち補助安定化部材６の空気力学的な力を作用させる適正点を、略同一の位置に調整することができ、これによって、補助安定化部材６の光ディスク１に対する空気力学的な力を確実に作用させることができるようになった。
【００８９】
前記作用による第１の効果として、主安定化部材５の移動位置における良好な面ぶれ低減効果が得られた。これは補助安定化部材６による作用により、主安定化部材５が位置する光ディスク面において主安定化部材５に対向する作用力を効率よく発生できたことと関係している。
【００９０】
なお、特に前記実施例３〜５においては、この効果に補助安定化部材６の配置形態の効果が加わり、より小さなディスク面ぶれを実現できた。
【００９１】
また、前記作用による第２の効果として、光ディスク１と補助安定化部材６間の浮上状態が実現でき、光ディスク／補助安定化部材間の接触摺動を確実に回避することができた。これは、補助安定化部材６による空気力学的な力の作用点をチルト角調整によって適正点に調整できたことによっている。
【００９２】
これに対して、比較例においては、図１４〜図１６において図示するように、補助安定部材６と光ディスク１の近接点２１、すなわち空気力学的な力の作用点が、補助安定化部材６の作用面中心２３、すなわち補助安定化部材の空気力学的な力を作用させる適正点からずれて、前記補助安定化部材６の作用面境界域に近い側に位置してしまい、補助安定化部材６による空気力学的な力の発生が不安定となってしまった。
【００９３】
このため、主安定化部材５の位置におけるディスク面ぶれに不正振動が重畳し、十分なディスク面ぶれ低減効果を得ることができなかった。そればかりか、補助安定化部材６による空気力学的な力の発生が不安定となったことにより、補助安定化部材６と光ディスク１の間の浮上条件が確立できずに接触摺動を引き起こし、光ディスク１にダメージを与えることとなってしまった。
【００９４】
上述したように本実施形態，本実施例では、ベルヌーイ効果を作用させる主安定化部材と補助安定化部材との構成において、前記補助安定化部材による空気力学的な作用力を適正化して、記録／再生位置における良好なディスク面ぶれの低減を実現可能な記録／再生装置を提供することができる。
【００９５】
【発明の効果】
以上説明したように、本発明に係る記録／再生装置および安定化調整方法ならびにディスクカートリッジによれば、ベルヌーイ効果を作用させる主安定化部材と補助安定化部材との構成において、補助安定化部材の記録ディスクに対する空気力学的な力を確実に作用させることができるようになり、主安定化部材が位置する記録ディスク面において主安定化部材に対向する作用力を効率よく発生させることが可能となり、ディスク面ぶれを良好に低減することができる。これにより、主安定化部材および記録／再生手段におけるディスク半径方向の動線をディスク基準面に近い範囲に限定することができ、動作機構の簡略化が可能になる。
【図面の簡単な説明】
【図１】本発明の記録／再生装置の実施形態１を説明するための要部の平面図
【図２】（ａ）は図１におけるＥ−Ｅ’線断面図、（ｂ）は図１におけるＦ−Ｆ線断面図
【図３】図１の実施形態１の正面図
【図４】本発明の記録／再生装置の実施形態２を説明するための要部の平面図
【図５】（ａ）は図４におけるＥ−Ｅ’線断面図、（ｂ）は図４におけるＦ−Ｆ線断面図
【図６】本発明の記録／再生装置の実施形態３を説明するための要部の平面図
【図７】（ａ）は図６におけるＥ−Ｅ’線断面図、（ｂ）は図６におけるＦ−Ｆ線断面図
【図８】本発明の記録／再生装置の実施形態３の変形例を説明するための要部の平面図
【図９】（ａ）は図８におけるＥ−Ｅ’線断面図、（ｂ）は図８におけるＦ−Ｆ線断面図
【図１０】本実施形態の記録／再生装置における補助安定化部材の設置例を示す断面図
【図１１】本発明の実施形態であるディスクカートリッジを説明するための断面図
【図１２】本実施形態のディスクカートリッジの平面図
【図１３】図１１のディスクカートリッジの横断面図
【図１４】本発明の比較例としての記録／再生装置の要部の平面図
【図１５】図１４におけるＥ−Ｅ’線断面図
【図１６】図１４における記録／再生装置の正面図
【図１７】本発明の実施例と比較例とにおける特性評価の一覧を示す図
【符号の説明】
１  光ディスク
２  ハブ
３  スピンドルモータ
４  光ピックアップ
５  主安定化部材
６  補助安定化部材
１１  移動制御機構
１２，１３  位置制御機構
１４  チルト制御機構
１５  メモリ
１６  駆動部
２１  補助安定化部材と光ディスクの近接点
２２  補助安定化部材と光ディスクの近接領域
２３  補助安定化部材の作用面中心（作用点）
３０  装置本体の筺体
３１  ディスクカートリッジ
Ａ  光ピックアップ動線の延長線
Ｂ１，Ｂ２  ハブの周部を通り直線Ａに垂直な直線
Ｒ  動線
Ｓ１，Ｓ２，Ｃ  記録ディスクの面内において区分した領域
【図１】
2005032344.tif 000003
【図２】
2005032344.tif 000004
【図３】
2005032344.tif 000005
【図４】
2005032344.tif 000006
【図５】
2005032344.tif 000007
【図６】
2005032344.tif 000008
【図７】
2005032344.tif 000009
【図８】
2005032344.tif 000010
【図９】
2005032344.tif 000011
【図１０】
2005032344.tif 000012
【図１１】
2005032344.tif 000013
【図１２】
2005032344.tif 000014
【図１３】
2005032344.tif 000015
【図１４】
2005032344.tif 000016
【図１５】
2005032344.tif 000017
【図１６】
2005032344.tif 000018
【図１７】
2005032344.tif 000019